(57)【要約】    【課題】    使用することでリフレッシュ感が得られる携帯電話を提供する。    【解決手段】  携帯電話本体１０に、酸素を貯蔵する酸素保持部と、当該酸素保持部から酸素を発生させる酸素発生部１６と、通話状態又は文字等の入力状態のいずれかの状態であることを判別する判別手段とが設けられており、当該判別手段で通話状態又は入力状態のいずれかであることを判別した場合に前記酸素発生部に制御信号を送信して酸素を発生する制御手段がさらに設けられている。    【選択図】    図１
2005295121.tif 000002
【特許請求の範囲】
【請求項１】
携帯電話本体に、酸素を貯蔵する酸素貯蔵部と、当該酸素貯蔵部から酸素を発生させる酸素発生部と、通話状態又は文字等の入力状態のいずれかの状態であることを判別する判別手段とが設けられており、当該判別手段で通話状態又は入力状態のいずれかであることを判別した場合に前記酸素発生部に制御信号を送信して酸素を発生する制御手段がさらに設けられていることを特徴とする携帯電話。
【請求項２】
前記携帯電話本体には、酸素を生成する酸素生成部が設けられ、当該酸素生成部で生成された酸素が前記酸素貯蔵部に保持されてなる請求項１記載の携帯電話。
【請求項３】
前記酸素生成部は、燃料電池を含む請求項２記載の携帯電話。
【請求項４】
携帯電話本体に、酸素を生成する酸素生成部と、当該酸素生成部から酸素を発生させる酸素発生部と、通話状態又は文字等の入力状態のいずれかの状態であることを判別する判別手段とが設けられており、当該判別手段で通話状態又は入力状態のいずれかであることを判別した場合に前記酸素発生部に制御信号を送信して酸素を発生する制御手段がさらに設けられていることを特徴とする携帯電話。
【請求項５】
前記酸素生成部は、燃料電池を含む請求項４記載の携帯電話。
【発明の詳細な説明】
【技術分野】
【０００１】
本発明は、携帯電話に関する。
【背景技術】
【０００２】
近年、携帯電話は若年から大人まで多くの人に使用されている。一方で、携帯電話から発せられる電波が人体に何らかの悪影響を及ぼすという説もあり、携帯電話にはマイナスイメージが付きがちである。
【発明の開示】
【発明が解決しようとする課題】
【０００３】
本発明はこのような問題を解決するためになされたもので、使用することでリフレッシュ感が得られるなど、プラスのイメージを与えることができる携帯電話を提供することを課題とする。
【課題を解決するための手段】
【０００４】
上記課題を解決するためになされた本発明に係る携帯電話としての特徴は、携帯電話本体に、酸素を貯蔵する酸素貯蔵部と、当該酸素貯蔵部から酸素を発生させる酸素発生部と、通話状態又は文字等の入力状態のいずれかの状態であることを判別する判別手段とが設けられており、当該判別手段で通話状態又は入力状態のいずれかであることを判別した場合に前記酸素発生部に制御信号を送信して酸素を発生する制御手段がさらに設けられていることにある。  
【０００５】
本発明に係る携帯電話は、前記携帯電話本体に、酸素を生成する酸素生成部が設けられ、当該酸素生成部で生成された酸素が前記酸素貯蔵部に貯蔵されることが好ましい。このように構成することにより、酸素が過剰に生成された場合にも酸素貯蔵部に酸素を貯蔵することができる利点がある。
【０００６】
また、本発明に係る携帯電話は、前記酸素生成部が燃料電池を含むことが好ましい。このように構成することにより、携帯電話本体内に充電池などの他の電池を設ける必要がないので、携帯電話本体を小型にすることができる。
【０００７】
本発明に係る携帯電話は、携帯電話本体に、酸素を生成する酸素生成部と、当該酸素生成部から酸素を発生させる酸素発生部と、通話状態又は文字等の入力状態のいずれかの状態であることを判別する判別手段とが設けられており、当該判別手段で通話状態又は入力状態のいずれかであることを判別した場合に前記酸素発生部に制御信号を送信して酸素を発生する制御手段がさらに設けられる構成とすることもできる。
【発明の効果】
【０００８】
本発明に係る携帯電話によれば、酸素発生部が設けられているので、携帯電話本体の使用者が酸素を得られることによりリフレッシュ感を感じることができる。さらに、前記判別手段においては通話状態又は入力状態のいずれかであることを判別した場合に酸素生成部に制御信号を送信して酸素を発生する制御手段が設けられているので、携帯電話の使用時にのみ酸素が発生されるため、酸素貯蔵部に貯蔵されている酸素が無駄に流出することを防止することができる。
【発明を実施するための最良の形態】
【０００９】
以下、本発明の一実施形態について図面に基づいて説明する。図１は本発明に係る携帯電話の最良の実施形態を示す斜視図であり、図２は本発明に係る携帯電話の内部構造を示すブロック図である。
【００１０】
図１において、参照符号１０は、携帯電話本体を示す。携帯電話本体１０には、電波を受送信するためのアンテナ部１１と、電話番号や電子メール等の文字を入力するための操作キー１２と、入力された文字や待ち受け画面などを表示する表示部１３と、通話の際、相手の声や音声を発生するスピーカー部１４と、自分の声や音声などを相手に伝送するための通話部１５とが設けられている。
【００１１】
さらに、携帯電話本体１０には、前記通話部１４に近接して酸素発生部１６が設けられている。尚、前記酸素発生部１６には、携帯電話本体１０内部側に開閉蓋（図示せず）が設けられている。
【００１２】
本発明に関わる携帯電話の構成を、図２を用いてさらに詳細に説明する。
図２において、参照符号２０は制御手段であり、送信・受信処理、酸素を発生させるための設定処理などを行う。また、制御手段２０は、携帯電話が通話状態又は入力状態のいずれかであるかを判別する判別手段としての役割を果たす。尚、通話状態であることは、操作キーの中の通話キー（通常、電話の受話器が離れた状態を図柄で示したキー）が入力されている状態であることを検出することで判別される。また、入力状態は、操作キーの入力が検出されることで判別される。
【００１３】
参照符号２１は、本発明に関わる酸素生成部としての燃料電池を示す。前記燃料電池２１は、メタノール等のアルコールから改質器により水素を生成する。そして、前記携帯電話本体１０の外部に設けられている開口部（例えば、通話部１５）から燃料電池２１内に空気を取り入れる、取入れられた空気中の酸素と前記水素から電気エネルギーを得る構成となっている。得られた電気エネルギーは、携帯電話を動作させるために使用される。
【００１４】
燃料電池２１に取り入れられた空気中の酸素は、必要に応じて酸素貯蔵部２２に貯められる。
【００１５】
ＲＡＭ２３には、制御手段で行う各種処理が一時的に記憶されている。
【００１６】
ＲＯＭ２４は携帯電話の各動作に関係するプログラムを固定的に記憶しており、この記憶されているプログラム、データ等を、逐次、制御手段２０に送出する。
【００１７】
次に、本発明に係る携帯電話の動作について、以下に説明する。
制御手段２０において、携帯電話が現在通話状態であるか、又は操作キーの入力状態であるかが判別される。携帯電話が通話状態であるか又は操作キーの入力状態である場合には、制御手段２０は酸素生成部である燃料電池２１に対して酸素を酸素貯蔵部に送るよう信号を送信する。また、制御手段２０は、酸素発生部１６に設けられた開閉蓋を開くよう、制御信号を送信する。
【００１８】
制御手段２０により信号を受信した燃料電池２１は、空気中から取り入れた酸素のうち、一部を酸素貯蔵部２２に送る。酸素貯蔵部２２に貯められた酸素は酸素発生部１６に送られる。
【００１９】
前記酸素発生部１６に設けられた前記開閉蓋は、制御手段２０からの制御信号により開いているので、酸素発生部１６から酸素が携帯電話本体１０外部に放出される。
【００２０】
このように、携帯電話の通話部近傍から酸素を発生することにより、携帯電話の使用者は鼻や口から酸素を効率よく取り入れることができる。したがって、携帯電話を使用していながら爽快感を得る、リフレッシュ感を得るなどの効果が得られる。ひいては、携帯電話を健康的な器具としてのイメージアップにもつながる。
【００２１】
一方、携帯電話が通話状態でも、入力状態でもないと制御手段２０が判別した場合には、制御手段２０は、酸素発生部１６の開閉蓋を閉じるよう開閉蓋に対して制御信号を送信する。このように、携帯電話の通話状態又は入力状態以外には酸素発生部１６から酸素が放出されることがない。
【００２２】
このように、燃料電池を、携帯電話を動作させるために使用するだけでなく、酸素を生成するためにも使用することにより、酸素生成部を電池とは別に設けなくともよく、したがって携帯電話本体を小型化することができる。
【００２３】
尚、燃料電池が酸素貯蔵部に対して酸素を供給するタイミングは、上記形態のみならず、携帯電話の通話状態や入力状態に関わりなく行われていても良い。このように携帯電話の通話状態や入力状態に関わりなく酸素貯蔵部に酸素が供給されることにより、通話状態や入力状態が始まってから酸素が放出される時間を極めて短くすることができる。
【００２４】
前記発明を実施するための最良の形態においては、酸素生成部で生成した酸素を酸素貯蔵部で貯蔵したが、酸素貯蔵部は必ずしも必要ではない。酸素貯蔵部が設けられている場合には、酸素生成部で酸素が過剰に生成された場合にも酸素を貯めておくことができるので、長時間の使用にも耐えられる利点がある。
【００２５】
前記酸素生成部の他の実施形態としては、炭酸ナトリウムと過酸化水素付加物などを粉状にしたものを水と反応させることで酸素を発生するものなども使用可能である。
【００２６】
また、上記発明を実施するための最良の形態においては、携帯電話本体内に酸素生成部と酸素貯蔵部を設けたが、酸素貯蔵部のみを設けても良い。その場合には、酸素貯蔵部として、例えば圧縮空気タンクを用いることができる。ただし、リフレッシュ効果を得るためには、圧縮空気タンク内の酸素の割合は、通常の空気よりも高く、例えば、４０％以上となるようにあらかじめ構成しておくことが好ましい。
【００２７】
前記発明を実施するための最良の形態においては、判別手段で通話状態であるか入力状態であるかを判別した場合に酸素を発生したが、予め設定されている時間以上通話状態又は入力状態である場合に酸素を発生させる構成としてもよい。このように構成することにより、長時間の通話による疲れを、酸素により解消することができる利点がある。
【図面の簡単な説明】
【００２８】
【図１】本発明に係る携帯電話の最良の形態を示す斜視図。
【図２】本発明に係る携帯電話の構成を示すブロック図。
【符号の説明】
【００２９】
１６    酸素発生部        ２０      制御手段
２１    燃料電池          ２２      酸素貯蔵部
【図１】
2005295121.tif 000003
【図２】
2005295121.tif 000004